(57)【要約】【課題】ボクシングのグローブの下にするようなバンデージの類において、簡単に装着できて、手首、甲、拳を固定可能であり、かつパッドを的確に固定できるようにする。【解決手段】格闘技などにおいて、拳に、それを保護するために巻き付けるバンデージについて、手に嵌める手袋本体１１と、手袋本体の手首部分に取り付けたバンド１２とを有しており、手袋本体１１を嵌めた手の第１関節から第２関節にかけての部分に相当する箇所に、関節を保護するためにシート状に形成した柔軟な素材より成る衝撃吸収材１５を固定し、また、バンド１２は、手に複数回巻き付けるために必要な長さを有するとともに、巻き付けたバンドの端部を留め付けるために面テープを固定手段２０として有している。【選択図】          図１
0003128433.tif 000002
【実用新案登録請求の範囲】
【請求項１】
格闘技などにおいて、拳に、その保護のために巻き付けるバンデージであって、
手に嵌める手袋本体と、手袋本体の手首部分に取り付けたバンドとを有しており、
上記手袋本体を嵌めた手の中手指節間関節から近位指節間関節にかけての部分に相当する箇所に、関節を保護するためにシート状に形成した柔軟な素材より成る衝撃吸収部材を固定し、
上記バンドは、手に複数回巻き付けるために必要な長さを有するとともに、巻き付けたバンドの端部を留め付けるための固定手段を有している格闘技類のためのバンデージ。
【請求項２】
衝撃吸収部材は、拇指を除く４指の中手指節間関節に相当する箇所を保護する横部分と、上記４指の近位指節間関節に相当する箇所を保護する縦部分とから成り、縦部分は、上記４指の間隔で横部分から突き出るように、枝状に、かつ横部分と一体に設けられており、かつ、拇指に対して、その中手指節間関節に相当する箇所を保護する縦部分を有している請求項１記載の格闘技類のためのバンデージ。
【請求項３】
衝撃吸収部材は、引張り強度が３ｋｇｆ／ｃｍ２以上、伸びが２００％以上、２５％圧縮荷重が１３０−２７０ｇ／ｃｍ２の特性を示すもので、天然ゴムを素材とするスポンジから成る請求項１記載の格闘技類のためのバンデージ。
【考案の詳細な説明】
【技術分野】
【０００１】
この考案は、格闘技などにおいて、拳に、それを保護するために巻き付ける、格闘技類のためのバンデージに関するものである。
【背景技術】
【０００２】
例えばボクシングでは、「拳」を衝撃から保護するために、バンデージを手に巻き付けた上でグローブを着用する。バンデージは、文字通り包帯状の布テープであるが、これを手に巻き付ける作業は、慣れれば片手３〜５分でできるようになる。しかしそれまでは、巻く順序などの巻き方のポイントを覚えたり、パッドの入れ方などコツを習得したりする必要があり、相当の日数を要する。
【０００３】
バンデージを対象にした発明、考案は多くはない。例えば実用新案登録第３０５７３３８号があるが、その考案は、リング状の保護具に、指の叉に引っ掛かるずれ止め紐を取り付けたもので、バンデージが手首の方へずれ落ちるのを防止したものである。しかしこれでは、とても激しい衝撃に耐えられず、実用性のあるものということはできない。
【０００４】
また、特開２００５−３３４１７９号は、リヴァーシブルタイプの拳サポーターを提案している。そのものは、着用者の手指、手甲及び手首の対応する各部分を一体に連続して設け、手甲部分に緩衝材を内蔵し、第２〜５指に巻く手指ベルトと、手首に巻く手首ベルト及び第１指挿入部を設けたもので、ボクシングに適するとはいえない。
【０００５】
【特許文献１】特開２００５−３３４１７９号
【特許文献２】実用新案登録第３０５７３３８号
【考案の開示】
【考案が解決しようとする課題】
【０００６】
この考案は前記の点に着目してなされたもので、その課題は、ボクシングのグローブの下にするようなバンデージの類において、簡単に装着できて、手首、甲、拳を固定可能であり、かつパッドを的確に固定できるようにすることである。また本考案の他の課題は、片手で、速やかに巻き付けられる格闘技類のためのバンデージを提供することである。また本考案の他の課題は、拳を的確に保護し得るとともに、耐久性の良い格闘技類のためのバンデージを提供することである。
【課題を解決するための手段】
【０００７】
前記の課題を解決するため、本考案は、格闘技などにおいて、拳に、その保護のために巻き付けるバンデージとして、手に嵌める手袋本体と、手袋本体の手首部分に取り付けたバンドとを有し、上記の手袋本体を嵌めた手の中手指節間関節から近位指節間関節にかけての部分に相当する箇所に、関節を保護するためにシート状に形成した柔軟な素材より成る衝撃吸収部材を固定し、上記のバンドは、手に複数回巻き付けるために必要な長さを有するとともに、巻き付けたバンドの端部を留め付けるための固定手段を有しているものとするという手段を講じたものである。
【０００８】
この考案のバンデージは、ボクシングなどの格闘技において、保護のために拳に巻き付け、使用するものである。このバンデージは、バンドだけではなく、手に嵌める手袋本体を有しており、この手袋本体の手首部分に、バンドを取り付けている。バンドが手袋本体に設けてあるため、手袋本体が巻くときの手掛かりになり、片手でも容易にバンドを手に巻き付けることができる。
【０００９】
上記の手袋本体を嵌めた手の中手指節間関節（指の付け根の第３の関節：ＭＰ）から近位指節間関節（第２関節：ＰＬＰ）にかけての部分に相当する箇所に、関節を保護するためにシート状に形成した柔軟な素材より成る衝撃吸収部材が固定されている。この衝撃吸収部材は、いわゆるスポンジ構造の、弾力性のある、衝撃吸収能力の良好な、硬度が６±４、見掛け密度が０．０９±０．０３ｇ／ｃｍ２、引張り強度が３ｋｇｆ／ｃｍ２以上、伸びが２００％以上、２５％圧縮荷重が１３０−２７０ｇ／ｃｍ２の特性を示すものが適しており、例えば天然ゴムを素材とするスポンジ及びそれ以外の素材から成るラバーフォームなどの発泡体を使用することができる。
【００１０】
衝撃吸収部材を固定するには、幾つかの方法がある。縫製、嵌め込み、接着などである。また、衝撃吸収部材の形状、構造にも選択の余地がある。そのため、形状、構造によって固定の効果に差が出てくるので、使用中にずれ動かないように衝撃吸収部材を取り付けることが必要である。
【００１１】
例えば衝撃吸収部材を、拇指を除く４指の中手指節間関節（第３関節）に相当する箇所を保護する横部分と、上記４指の近位指節間関節（第２関節）に相当する箇所を保護する縦部分とから構成し、縦部分は、上記４指の間隔で横部分から突き出るように、枝状に、かつ横部分と一体に設けたものは好ましい構成を備えているものである。このような衝撃吸収部材は、手袋本体の甲に当たる部分とほぼ同じ形状にして、その内部に嵌め込むことで、動かないように固定することができる。
【００１２】
衝撃吸収部材は、拇指に対しても、その第３関節に相当する箇所を保護する縦部分を有している。この衝撃吸収部材は、手袋本体の拇指の外面に相当する部分とほぼ同じ形状にし、その内部に嵌め込むことで、動かないように固定することができる。
【００１３】
手袋本体に取り付けられているバンドは、手に複数回巻き付けるために必要な長さを有する。この巻き付けが、バンデージの目的であるわけであるが、その巻き付けによる手の保護に必要な長さを有するということである。そして、巻き付けたバンドの端部を、固定手段により留め付けることができる。例えば面テープは、無数のフックとそれが引っ掛かるループを一対の布材表面に設けたもので、一般にマジック△△などと呼ばれているが、固定手段として適当である。
【考案の効果】
【００１４】
この考案は以上のように構成されかつ作用するものであるから、ボクシングのグローブの下にするようなバンデージの類において、２０〜３０秒ほどで簡単に装着できて、手首、甲、拳を固定可能であり、かつパッドを的確に固定できるようにすることができる。また本考案によれば、片手で、速やかに巻き付けられ、拳を的確に保護し得るとともに、耐久性の良い格闘技類のためのバンデージを提供することができるという効果を奏する。
【考案を実施するための最良の形態】
【００１５】
以下図示の実施形態を参照して、より詳細に説明する。図１は、この考案の格闘技類のためのバンデージ１０の一例を示すものである。図示のバンデージ１０は、手に嵌める手袋本体１１と、手袋本体１１の第５指側（外側）の手首部分に取り付けたバンド１２とを有している。
【００１６】
図示の手袋本体１１は、五指を個別に嵌める独立した五本の指部を有しており、かつまた手の平から第２関節部までを覆いそれより先の指先が露出するタイプの手袋型のものである。この手袋本体１１は、一重の生地より成る手の平１３部と、手の甲部１４とを縫製して、手に嵌めるようにした公知の構造を有し、手の上記第３関節から第２関節にかけての部分に相当する箇所は、袋状の構造になっており（図１、図２参照）、その袋状構造部分内に、シート状に形成した柔軟な素材より成る衝撃吸収部材１５が嵌め込まれて固定されている。
【００１７】
即ち、図示の衝撃吸収部材１５は、手袋本体１１の甲に当たる部分とほぼ同じ形状に形成され、その袋状構造部分内部に嵌め込むことで、動かないように固定されている。この衝撃吸収部材１５は平面的には、拇指を除く４指の第３関節に相当する箇所を保護する横部分１６と、上記４指の第２関節に相当する箇所を保護する縦部分１７とから構成され、縦部分１７は、上記４指の間隔で横部分から突き出るように、枝状に、かつ横部分と一体に設けられている。この衝撃吸収部材１５には、硬度が６±３、見掛け密度が０．０９±０．０２ｇ／ｃｍ２、引張り強度が４ｋｇｆ／ｃｍ２以上、伸びが２２０％以上、２５％圧縮荷重が１５０−２５０ｇ／ｃｍ２の特性を示す、天然ゴムを素材とするスポンジを使用している。
【００１８】
上記４指の間の手袋本体１１には、いわゆるマチを設け、シート状に形成した柔軟な素材より成る衝撃吸収部材１５の厚みに対応した縫製により、整形を加えている。１８はそのマチを設ける部分を、１９は手を嵌める本体内部の空間を示す。なお、拇指部分についても同様の構造であり、衝撃吸収部材１５′が、拇指の中手指節間関節（ＭＰ）から指節間関節（ＩＰ）までの外面に相当する箇所の袋状構造部分内に嵌め込まれて固定されている。
【００１９】
手袋本体１１には、手に複数回巻き付けるために必要な長さを有するバンド１２が取り付けられている。バンド１２は、その巻き付けによる手の保護に必要な幅と長さを有するが、標準の幅として約３センチメートル、長さとして約１５０センチメートルは必要である。そして、巻き付けたバンド１２の端部を留め付けるために、無数のフック２１とそれが引っ掛かるループ２２を一対の布材表面に設けた面テープが固定手段２０として取り付けられている。
【００２０】
このように構成されている、この考案の格闘技類のためのバンデージ１０は図３に示すようにして使用する。まず、手袋本体１１を着用し（ａ）、バンド１２を手の平側に回して手首に１回巻き（ｂ）、内側から手の甲を斜めに第５指の付け根に向けて巻き（ｃ）、手の平側を拇指の股より手の甲を横断して１回巻き（ｄ）、拇指の股より手の甲を斜めに手首の外側に向けて巻き（ｅ）、再度内側から手の甲を斜めに第５指の付け根に向けて巻き、また手の平側を拇指の股より手の甲を横断し（ｆ）、かつ拇指の股より手の甲を斜めに手首の外側に向けて巻き（ｇ）、最後に固定手段２０により固定する（ｈ）。
【００２１】
この考案の格闘技類のためのバンデージ１０は、グローブで覆われるが、汗などにより非衛生的になり易いため、使用後のケアが必要であり、洗濯、乾燥、バンドの巻き取り等の厄介な作業を繰り返すことになる。このため、本考案では、捩れを起こしにくい綿テープをバンド１２に使用することにより、捩れや皺よりの起きにくいものとし、使用後の手間を軽減している。また、保管時に、畳んだバンデージ１０を固定手段２０により止めておくことができ、皺になりにくい。
【産業上の利用可能性】
【００２２】
手指のテーピングを目的として着用したり、術後の保護のために手指に着用したりすること、或いは足指のための、バンデージ、テーピング及び術後の保護のためにも使用可能に設計することができる。
【図面の簡単な説明】
【００２３】
【図１】本考案による格闘技類のためのバンデージの１例を示す斜視図。
【図２】同上要部の断面図。
【図３】本考案の格闘技類のためのバンデージ使用する状態を、ａ、ｂ、ｃ、ｄ、ｅ、ｆ、ｇ、ｈの過程を追って示した説明図。
【符号の説明】
【００２４】
１０  格闘技類のためのバンデージ
１１  手袋本体
１２  バンド
１３  手の平部
１４  手の甲部
１５、１５′  衝撃吸収部材
１６  横部分
１７  縦部分
１８  マチ部分
１９  空間
２０  固定手段
２１  フック
２２  ループ
【図１】
0003128433.tif 000003
【図２】
0003128433.tif 000004
【図３】
0003128433.tif 000005